(57)【要約】【課題】洪水のような災害を縮小させることができ、旱魃や砂漠化による自然環境の破壊、地球の温暖化の緩和などを図ることができる。また、荒地などを緑化された土地に改良させ、農業を振興させ食料を増産し、都市部の人口の一部を移入させて工業を振興させることにより都市人口の密集を防ぐことが可能になる。【解決手段】吸水性の生分解性を有する高分子を透水性の包装体に封入した吸水性シートを積層し、この積層した吸水性シートの高分子に水を吸収させてダム壁を構築する。また、吸水性の生分解性を有する高分子を透水性の包装体に封入した吸水性シートを複数個積層して気密性の包装体で包み、この気密性の包装体の一部に開封部を有し、吸水時に気密性の包装体の開封部を開封して吸水性シートの高分子に水を吸収させてダム壁を構築する。【選択図】図３
2006112080.tif 000002
【特許請求の範囲】
【請求項１】
吸水性の生分解性を有する高分子を透水性の包装体に封入した吸水性シートを積層し、
この積層した吸水性シートの高分子に水を吸収させてダム壁を構築することを特徴とする簡易型のダム設置方法。
【請求項２】
吸水性の生分解性を有する高分子を透水性の包装体に封入した吸水性シートを複数個積層して気密性の包装体で包み、
この気密性の包装体の一部に開封部を有し、
吸水時に前記気密性の包装体の開封部を開封して吸水性シートの高分子に水を吸収させてダム壁を構築することを特徴とする簡易型のダム設置方法。
【請求項３】
請求項１または請求項２に記載のダム壁を構築する水を吸収した吸水性シートを保管し、
この吸水性シートを移送することを特徴とする給水方法。
【請求項４】
請求項１または請求項２に記載のダム壁を構築する水を吸収した吸水性シートを用いて、砂漠などの荒地を覆うことを特徴とする緑化方法。
【請求項５】
吸水性の生分解性を有する高分子を透水性の包装体に封入した吸水性シートであり、請求項１乃至請求項４の方法に用いることを特徴とする吸水性シート。
【発明の詳細な説明】
【技術分野】
【０００１】
この発明は、簡易型のダム設置方法、給水方法及び緑化方法に関する。
【背景技術】
【０００２】
従来、ダム建設にあっては、コンクリート型枠を設置して、このコンクリート型枠の内側にコンクリートを流し込んで、コンクリートを打設する打設工事を行い、これを上方に向かって段階的に行うことで、ダムのコンクリートを構築するようにしていた（例えば、特許文献１）。
【特許文献１】特開２００３−１３４２８号公報（第１頁〜第８頁、図１〜図９）
【発明の開示】
【発明が解決しようとする課題】
【０００３】
ところで、現在、地球上のさまざまな場所で、年々洪水による被害と旱魃による被害が増えているが、恒常的な解決策が施されてはいない。特に、洪水の被害は多くの人命を失い、建造物、農作物、諸々の財産の喪失を余儀なくしている。水の移送方法ではウォーターブロックなどもあるが、容積が嵩張ることや形状が固定化しているので機能的ではない。２１世紀の人類にとって、人口問題、食糧問題と水の管理問題は大きな課題となる。水による災害の防除と水の活用が重要である。
【０００４】
この発明は、かかる点に鑑みてなされたもので、洪水のような災害を縮小させることができ、旱魃や砂漠化による自然環境の破壊、地球の温暖化の緩和などを図ることができる。また、荒地などを緑化された土地に改良させ、農業を振興させ食料を増産し、都市部の人口の一部を移入させて工業を振興させることにより都市人口の密集を防ぐことが可能になる。
【課題を解決するための手段】
【０００５】
前記課題を解決し、かつ目的を達成するために、この発明は、以下のように構成した。
【０００６】
請求項１に記載の発明は、吸水性の生分解性を有する高分子を透水性の包装体に封入した吸水性シートを積層し、
この積層した吸水性シートの高分子に水を吸収させてダム壁を構築することを特徴とする簡易型のダム設置方法である。
【０００７】
請求項２に記載の発明は、吸水性の生分解性を有する高分子を透水性の包装体に封入した吸水性シートを複数個積層して気密性の包装体で包み、
この気密性の包装体の一部に開封部を有し、
吸水時に前記気密性の包装体の開封部を開封して吸水性シートの高分子に水を吸収させてダム壁を構築することを特徴とする簡易型のダム設置方法である。
【０００８】
請求項３に記載の発明は、請求項１または請求項２に記載のダム壁を構築する水を吸収した吸水性シートを保管し、
この吸水性シートを移送することを特徴とする給水方法である。
【０００９】
請求項４に記載の発明は、請求項１または請求項２に記載のダム壁を構築する水を吸収した吸水性シートを用いて、砂漠などの荒地を覆うことを特徴とする緑化方法である。
【００１０】
請求項５に記載の発明は、吸水性の生分解性を有する高分子を透水性の包装体に封入した吸水性シートであり、請求項１乃至請求項４の方法に用いることを特徴とする吸水性シートである。
【発明の効果】
【００１１】
前記構成により、この発明は、以下のような効果を有する。
【００１２】
請求項１に記載の発明によれば、吸水性の生分解性を有する高分子を透水性の包装体に封入した吸水性シートを積層し、この積層した吸水性シートの高分子に水を吸収させてダム壁を構築することで簡易型のダムを設置することができる。吸水性の高分子はそれの数十倍以上の容積の水を一時に吸収し、流動できない固形物にすることで氾濫した水を固定することができ、本来河川に流入する大量の水を減少させ、洪水の被害を減少させることができる。この簡易型のダムを各所に設置することで、従来のような大型のダムを建設する必要がなくなり、従来の大規模なダム建設の建設は不要になる。
【００１３】
請求項２に記載の発明によれば、吸水性の生分解性を有する高分子を透水性の包装体に封入した吸水性シートを複数個積層して気密性の包装体で包み、この気密性の包装体の一部に開封部を有し、吸水時に前記気密性の包装体の開封部を開封して吸水性シートの高分子に水を吸収させてダム壁を構築することで簡易型のダムを設置することができる。吸水性の高分子はそれの数十倍以上の容積の水を一時に吸収し、流動できない固形物にすることで氾濫した水を固定することができ、本来河川に流入する大量の水を減少させ、洪水の被害を減少させることができる。この簡易型のダムを各所に設置することで、従来のような大型のダムを建設する必要がなくなり、従来の大規模なダム建設の建設は不要になる。
【００１４】
請求項３に記載の発明によれば、請求項１または請求項２に記載のダム壁を構築する水を吸収した吸水性シートを保管し、この吸水性シートを移送することで、例えばビルの屋上などに薄く敷設することで都市部の高温化を減少させることができる。
【００１５】
請求項４に記載の発明によれば、請求項１または請求項２に記載のダム壁を構築する水を吸収した吸水性シートを用いて、砂漠などの荒地を覆うことで、例えば塩類によって分子構造を変え、一度吸水した水を溶出させる性質を利用し、硫安などの肥料成分によって、砂漠などの荒地を覆うことや植物の栽培地、緑化用苗床としての活用ができる。
【００１６】
請求項５に記載の発明によれば、吸水性の生分解性を有する高分子を透水性の包装体に封入した吸水性シートであり、請求項１乃至請求項４の方法に用いる。
【発明を実施するための最良の形態】
【００１７】
以下、この発明の簡易型のダム設置方法、給水方法及び緑化方法の実施の形態について説明する。この発明の実施の形態は、発明の最も好ましい形態を示すものであり、この発明はこれに限定されない。
【００１８】
［請求項１に記載の発明］
まず、請求項１に記載の発明を図１乃至図３に基づいて説明する。図１及び図２は吸水性シートを示す。この吸水性シート１は、図１に示すように、吸水性の生分解性を有する高分子２を透水性の袋状に形成された包装体３に封入した構造である。この高分子２は、生分解性及び熱分解性を有するものが好ましい。この高分子２を用途に応じたサイズや形状にした透水性を有する軽量の薄い包装体３に入れて吸水性シート１としている。
【００１９】
この吸水性シート１は、図２に示すように、吸水性シート１を積層しても薄く軽量であるが、吸水性の高分子２が水を吸収すると、吸水性の高分子２はそれの数十倍以上の容積の水を一時に吸収し、所定の高さになる。
【００２０】
図３は簡易型のダムを設置する構造を示す。網状の鉄柵によるフェンス５０などで仕切る。このフェンス５０の上流側に吸水性シート１を積層して設置する。この積層した吸水性シート１の高分子２に水を吸収させてダム壁５１を構築する。ダム壁５１は、吸水した保水している吸水性シート１を平置きで保管するための施設等も含む。
【００２１】
このように、吸水性シート１に含まれている吸水性の高分子２はそれの数十倍以上の容積の水を一時に吸収し、流動できない固形物にすることで氾濫した水を固定することができ、本来河川に流入する大量の水を減少させ、洪水の被害を減少させることができる。
【００２２】
この簡易型のダム壁５１を各所に設置することで、従来のような大型のダムを建設する必要がなくなり、従来の大規模なダム建設の建設は不要になる。それによって、ダム建設地周辺の用地買収とその補償問題、ダムの流域に埋没されてしまう森林や住宅地、歴史的な文化遺産などの損失もなくなる。ダム建設道路などの大規模な自然破壊もなくなるなど様々なトラブルが解消される。
【００２３】
また、水を吸収する前の吸水性シート１は軽量のため、どのような地域にも迅速に対応することができる。洪水が予想される天気予報などの情報から流水の予定地域にこの吸水性シート１を敷設することで下流域への流水量を調節することができる。洪水の氾濫を吸水性シート１の活用によって、大きく減少させることで被害を小さくすることできる。このことは、特に人的な被害を少なくすること、ライフラインの損失や建造物の損壊など、災害を受けた後の復興や再建をするために必要な莫大な費用や補助金などを考えると重大なことである。
【００２４】
［請求項２に記載の発明］
次に、請求項２に記載の発明を図４乃至図６に基づいて説明する。図４及び図５は包装体を示す。この吸水性シート１１は、図４に示すように、吸水性の生分解性を有する高分子１２を透水性の包装体１３に封入した構造である。この吸水性シート１１を複数個積層して気密性の包装体１４で包み、この気密性の包装体１４の一部に開封部１４ａを有している。気密性の包装体１４は、例えば気密性のポリエチレン製のシートにより作成される。開封部１４ａは、例えばファスナー、ナイロンテープ等で封止される。この高分子１２は、生分解性及び熱分解性を有するものが好ましい。この高分子１２を用途に応じたサイズや形状にした透水性を有する軽量の薄い包装体１３に入れて吸水性シート１１としている。
【００２５】
この吸水性シート１１は、図５に示すように、複数個積層して気密性の包装体１４で包み、吸水性シート１１を複数個積層しても薄く軽量であるが、開封部１４ａを開封し吸水性の高分子１２が水を吸収すると、吸水性の高分子１２はそれの数十倍以上の容積の水を一時に吸収し、所定の高さになる。
【００２６】
図６は簡易型のダムを設置する構造を示す。網状の鉄柵によるフェンス６０などで仕切る。このフェンス６０の上流側に吸水性シート１１を複数個積層した気密性の包装体１４を設置する。この包装体１４の開封部１４ａを開封し吸水性の高分子１２に水を吸収させてダム壁６１を構築する。
【００２７】
このように、吸水性シート１１を大量に敷設できるような安全で、ある程度の広さを持つ場所に頑強な鋼鉄製の防雪フェンスのような役割のフェンス６０を設置し、ある程度の深さに掘り下げた陥没地をつくり、付近に吸水性シート１１の保管庫と搬出装置としてのクレーンなどの機械施設を設置しておくことで簡易型のダムとすることができる。常設のダム施設には吸水性シート１１のナイロンテープを連結させて、一度に開封する引き上げ装置が必要になる。
【００２８】
このように、吸水性シート１１に含まれている吸水性の高分子１２はそれの数十倍以上の容積の水を一時に吸収し、流動できない固形物にすることで氾濫した水を固定することができ、本来河川に流入する大量の水を減少させ、洪水の被害を減少させることができる。
【００２９】
［請求項３に記載の発明］
次に、請求項３に記載の発明を図７に基づいて説明する。図７は包装体の移送を示す。この実施の形態では、請求項１または請求項２に記載のダム壁５１，６１を構築する水を吸収した大量の吸水性シート１，１１をネット３０に入れてクレーン等の重機３１で吊りあげて保管し、吸水性シート１，１１を例えば運搬車等に移送する。ネット３０は、水を吸収した大量の吸水性シート１，１１を移送できるように網目状の丈夫な部材で成形される。吸水性シート１，１１の移送は、車両（トラック）や貨車、航空機などで行ない、この移送のための交通手段の把握、管理を行なう。
【００３０】
また、吸水性シート１，１１は防災などの用途別にサイズや色、マークをつけることで活用しやすくする。また、吸水性シート１，１１ごとの水を保管し、それを移送させることができる。
【００３１】
［請求項４に記載の発明］
次に、請求項４に記載の発明を図８に基づいて説明する。図８は緑化を示す。この実施の形態では、請求項１または請求項２に記載のダム壁５１，６１を構築する水を吸収した吸水性シート１，１１を用いて、砂漠などの荒地を覆う。
【００３２】
例えば、請求項１または請求項２に記載のダム壁５１，６１を構築する水を吸収した吸水性シート１，１１をビルの屋上などに薄く敷設することで都市部の高温化を減少させることができる。また、砂漠などの荒地を吸水性シート１，１１により覆うことで、例えば塩類によって分子構造を変え、一度吸水した水を溶出させる性質を利用し、硫安などの肥料成分によって、砂漠などの荒地を覆うことや植物７０の栽培地、緑化用苗床としての活用ができる。
【００３３】
［請求項５に記載の発明］
次に、請求項５に記載の発明を図１乃至図８に基づいて説明する。この実施の形態では、吸水性の生分解性を有する高分子を透水性の包装体に封入した吸水性シート１，１１であり、請求項１乃至請求項４の方法に用いるものであれば特に限定されない。吸水性の高分子を用途に応じたサイズや形状にした透水性をもつ軽量の薄い包装体にいれたものである。
【００３４】
この発明は、以下のように利用される。
【００３５】
（１）防災への活用と起業
この発明による吸水性の生分解性を有する高分子を透水性の包装体に封入した吸水性シートは、吸水性の高分子がそれの数十倍以上の容積の水を一時に吸収し、流動できない固形物にすることで氾濫した水を固定することができ、本来河川に流入する大量の水を減少させ、洪水の被害を減少させることができる。
【００３６】
洪水などの氾濫した水について、平坦地や斜度の小さな地域では簡易的な防護フェンスとの併用で、小規模でも多数の地点で包装体を使うことで迅速で、安全に氾濫水を抑制し、減少させることができる。
【００３７】
本来、液体の水は重力によって、より低い地形に流されるために、水を貯留するには、周囲より低い土地にためるだけである。しかし、吸水性の高分子を使った吸水性シートは水を吸ってふくらむが、袋によって形状を保つことができるので低地だけでなく、様々な場所でも吸水させて、積み重ねることができ水を大量に貯留できる。
【００３８】
また、事前に地域ごとに必要な数の簡易型のダムを設置する。それは吸水性シートを大量に敷設できるような安全で、ある程度の広さを持つ場所に頑強な鋼鉄製の防雪フェンスのような役割のフェンスを設置し、ある程度の深さに掘り下げた陥没地をつくり、付近に吸水性シートの保管庫と搬出装置を設置しておくことで簡易型のダムとすることができる。
【００３９】
実際の運用は洪水が予想される天気予報などの情報から流水の予定地域にこの吸水性シートを敷設することで下流域への流水量を調節することができる。しかも、水を吸収する前の吸水性シートは軽量のため、どのような地域にも迅速に対応することができる。
【００４０】
このような簡易型ダムを各所に設置することで、従来のような大型のダムを建設する必要がなくなり、ダム建設の様々なトラブルが解消される。その一つに、ダム建設地域の埋没地域をなくすことができる。ダムを建設することによる大規模な工事による自然破壊なども防ぐことになる。
【００４１】
吸水性シートは薄く軽量なのでコンパクトに梱包できているため緊急時にも必要な地域への迅速な移送が容易にできる。さらに、通常時の大量な保管にも場所を取ることがなく、小さな施設にも保管でき、防災上の備蓄をしておくことができ、これらのことは防災上も重要なことである。
【００４２】
また、万一水に流されることがあっても吸水した吸水性シートは全体的には水の密度よりやや小さいため、水に浮くという性質を持つので蛍光色など識別しやすくしておくことで回収も容易になる。
【００４３】
中国の黄砂の原因となっている砂漠地帯の周縁部に吸水性シートを広く敷設して、防砂壁としての利用などを行なうことで、北京などの都市部や韓国、日本への黄砂の飛来を減少させ、多くの被害を防ぐことができる。
【００４４】
大規模な洪水などの災害時は水道や電気の供給が止まってしまい、飲用水が不足してしまうことが多い。そのようなときに給水車が不足するが、積み重ねができる水を吸ったままの吸水性シートは一般のトラックのような車両などによっても運搬可能である。熱分解などで、高分子の分子構造を変えて水を取り出し、簡易型の移動型浄水施設を臨時に設置することで、吸水性シートで移送した水を被災地域で供給させる。
【００４５】
（２）国土の保全と緑化
吸水性シートを使った簡易型ダムは、治水事業としてのダムの建設や、送水管の設置工事を必要としないので、国土の保全や緑化に役立つシステムである。国や自治体、他の国への吸水性シートの供給は関連した産業への発展にもなる。
【００４６】
この発明の一用途として、降水の多い荒地や山間部の平坦地や傾斜の少ない場所などに低層の防護柵を設置し、数十層の吸水性シートを平面的に広げて使用することで通常時に雨水を吸水して貯めおくことができる。これによって、ダムを建設するという莫大な建設費を要することもなく治水を行なうことができる。
【００４７】
水を吸った大量の吸水性シートを水不足の地域や人口密集地に普通の交通手段で移送させることができ、吸水した水を熱分解などの方法で水の浄化を比較的簡単に行なうことができる。
【００４８】
上流の大規模なダム湖などから下流の地域に遠大な送水管で水を運ぶ必要がなくなる。そのため、ダムの建設や巨大な送水管の敷設工事などが不要になるので森林など多くの緑地を水没させることもないので国土が保全される。
【００４９】
また、吸水した状態のまま置いて保管する場合は、それ自体はほとんど水なので比熱が大きいという作用により、地球の温暖化の防止にも役立つことができる。ビルの屋上などに薄く敷設することで都市部の高温化を減少させることもできる。
【００５０】
砂漠の周縁部などに水を吸った大量の吸水性シートを敷設させることで、砂塵の飛来や砂漠の周辺への拡大を防ぐことができる。さらに、根粒バクテリアなどによって徐々に高分子を生分解させて、高分子の保水性と有機物としての栄養分をもつことを活用することで、植物や微生物を育てることで砂漠の緑化事業を推進できる。
【００５１】
季節によって、雨季や乾季があるような地域や国家にはダムや貯水池の設置や送水管の工事が必要とされていたが、吸水性シートの活用によるこのシステムは通常の交通網と空き地があればよく、壮大な予算を必要としない。さらに、気象変動などの不測の事態などにも臨機応変に対応できるので治水事業の管理も容易になる。
【００５２】
吸水性シートはグランドなどの雨水の除去にも効率がよい。用途別に多様なサイズにしたものの中で、人手でも運搬できる程度のものを使うことでグランド内に大型車を入れないで水の除去作業ができる。
【００５３】
（３）経済的、政治的な効果
洪水の氾濫を吸水性シートの活用によって、大きく減少させることで被害を小さくすることできる。このことは、特に人的な被害を少なくすること、ライフラインの損失や建造物の損壊など、災害を受けた後の復興や再建をするために必要な莫大な費用や補助金などを考えると重大なことである。
【００５４】
近年、途上国や西欧の国々でも大規模な水害が頻発しているので、さまざまな支援の中でも相手国の水害そのものの被害を縮小できる吸水性シートの効用は多大なものとなる。相手の必要とするものを迅速に対応できることが世界に示すことができる日本の経済力、さらに政治的にもどれほど重要なことかは明白である。
【００５５】
大規模なダムの建設や送水管の敷設を必要としないことで、自治体の行なうべき治水予算が縮小でき、水害などの災害時の緊急的な費用も莫大なものにならないことは構造改革を論じる時世に合致するものである。
【００５６】
砂漠の周縁部などに大量の吸水性シートを敷設させることで、砂塵の飛来や砂漠の周辺への拡大を防ぐことができ、都市部の被害を減少させることで砂漠化防止の対策費などを適切なものとすることができる。
【００５７】
さらに、高分子の保水性と有機物としての栄養分をもつことを活用することで、植物や微生物を育てることで砂漠の緑化事業を発展させることや吸水性シートの定常的な交換を行なう事業などで荒地や山間部などの雇用問題の解決にもなる。乾燥地帯や旱魃地域など水の不足している地域に吸水した吸水性シートを搬送して、浄化施設で水道水や農工業用水として活用させることで農工業を含めた諸産業が振興する。
【産業上の利用可能性】
【００５８】
この発明は、吸水性の生分解性を有する高分子を透水性の包装体に封入した吸水性シートを積層し、この積層した吸水性シートの高分子に水を吸収させてダム壁を構築することで簡易型のダムを設置することができる。吸水性の高分子はそれの数十倍以上の容積の水を一時に吸収し、流動できない固形物にすることで氾濫した水を固定することができ、本来河川に流入する大量の水を減少させ、洪水の被害を減少させることができる。
【図面の簡単な説明】
【００５９】
【図１】吸水性シートを示す図である。
【図２】吸水性シートの吸水状態を示す図である。
【図３】簡易型のダムを設置する構造を示す図である。
【図４】吸水性シートを示す図である。
【図５】吸水性シートの吸水状態を示す図である。
【図６】簡易型のダムを設置する構造を示す図である。
【図７】包装体の移送を示す図である。
【図８】緑化を示す図である。
【符号の説明】
【００６０】
１，１１  吸水性シート
２，１２  高分子
３，１３  包装体
５０，６０  フェンス
５１，６１  ダム壁
【図１】
2006112080.tif 000003
【図２】
2006112080.tif 000004
【図３】
2006112080.tif 000005
【図４】
2006112080.tif 000006
【図５】
2006112080.tif 000007
【図６】
2006112080.tif 000008
【図７】
2006112080.tif 000009
【図８】
2006112080.tif 000010